(57)【要約】【課題】  施設利用者にとって便利な自動写真撮影システムを提供する。【解決手段】  システムを管理する管理サーバ１と、携帯端末管理装置２と、印刷装置３と、記憶媒体への情報書き込み装置である。（ＣＤ―Ｒ装置）１４と、テーマパーク内の所定の撮影ポイントに設置される撮影装置６ａから６ｍと、混雑監視装置７ａと、これらを接続する無線又は有線のネットワークとを有している。管理サーバ１には、撮影情報データベース４ａと、設備情報データベース４ｂと、が接続されている。利用者にそれぞれ渡される携帯端末５ａから５ｃは、携帯端末管理装置２と連絡が可能になっている。尚、携帯端末５ａから５ｃまでは、ＰＨＳ、ＰＤＡ、自分の有している携帯電話であって、アプリケーションソフトウェアが一時的にインストール（管理サーバ１からダウンロードする）された携帯電話であっても良い。通常は、利用者がテーマパークに入場する際に、専用携帯端末をデーパーク運営者側から受け取る。【選択図】  図１
2005196417.tif 000002
【特許請求の範囲】
【請求項１】
第１通信手段と撮像手段とをそれぞれに有し、施設における複数の位置に設けられる撮影装置と、
施設の利用者が所持する携帯端末であって、前記第１通信手段と通信を行う第２通信手段を有し、前記第１通信手段と前記第２通信手段との間の通信に基づいて前記撮影装置に対して前記利用者を撮影するタイミングを通知する携帯端末と
を有する自動写真撮影システム。
【請求項２】
さらに、前記第１通信手段を介して前記撮影装置を管理する携帯端末管理装置と、前記撮影装置によって撮影された撮影情報を保存する撮影情報データベースを保持する管理サーバと、を有する管理システム
を有する請求項１に記載の自動写真撮影システム。
【請求項３】
前記携帯端末は、前記撮影装置のいずれかに近づいた際にその旨を報知する報知手段を有することを特徴とする請求項１又は２に記載の自動写真撮影システム。
【請求項４】
第１通信手段と撮像手段とをそれぞれに有し、施設における複数の位置に設けられる撮影装置と、
施設の利用者が所持する携帯端末であって、前記第１通信手段と通信を行う第２通信手段を有し、前記第１通信手段と前記第２通信手段との間の通信に基づいて、前記利用者を前記撮影装置で撮影可能な位置へとナビゲートするナビゲート手段を有する携帯端末と
を備えた写真撮影ナビゲートシステム。
【請求項５】
前記携帯端末は、
さらに、前記撮影装置に近づいた際にその旨を利用者に報知する報知手段と、近づいた前記撮影装置に対して撮影のタイミングを指示する撮影タイミング指示手段と
を有することを特徴とする請求項４に記載の写真撮影ナビゲートシステム。
【発明の詳細な説明】
【技術分野】
【０００１】
本発明は、施設における写真撮影システムに関し、特に、テーマパークの利用に関する記録を、記念として残す電子アルバムを作成し、これを提供するための自動写真撮影システム及び写真撮影に関するナビゲートシステムと、電子アルバムの提供サービスと、に関する。
【背景技術】
【０００２】
テーマパークなどの遊技施設における写真撮影システムとしては、遊技施設の利用者をそれぞれ一意に識別できる電子タグを利用者に配布し、施設内の撮影ポイントにそれぞれ電子タグ検出装置と撮影装置とを設置し、利用者はタグ検出装置の近くの所定の位置に立つとタグに利用者が近づいてきたことを電子タグ検出装置が検出し、撮影装置により写真撮影が行なわれる。或いは、タグにシャッタを付けておいて自分でシャッタを押す。このようにして取得した画像データを電子タグの識別番号をキーにして記憶装置に蓄積する。電子番号をもとに撮影した写真を印刷し、利用者が遊技施設から出るときに写真を提供するものがある（特許文献１参照）。
【特許文献１】特開２００２−４１７０３号公報
【発明の開示】
【発明が解決しようとする課題】
【０００３】
しかしながら、上記特許文献１に記載の方法を用いると、電子タグの特性上の限界により、被撮影者が電子タグ検出装置に近接しなければ撮影が行われず、検出位置に関する限界が存在する。また、利用者はタグに検出される位置まで近づき、撮影ポイントまで自ら出向くか、或いは、撮影ポイントでシャッタを押すかする必要があるため、利用者は写真の撮影に気を取られてしまい、肝心のテーマパークにおけるアトラクションなどを楽しむことができないということもある。さらに、上記特許文献１には、被撮影者を撮影ポイントに誘導する手段も開示されていない。
【０００４】
本発明は、記念アルバムとしての利用価値をより一層高めることができる自動写真撮影システム及び写真撮影ナビゲートシステムを提供することを目的とする。
【課題を解決するための手段】
【０００５】
本発明の一観点によれば、第１通信手段と撮像手段とをそれぞれに有し、施設における複数の位置に設けられる撮影装置と、施設の利用者が所持する携帯端末であって、前記第１通信手段と通信を行う第２通信手段を有し、前記第１通信手段と前記第２通信手段との間の通信に基づいて、前記撮影装置に対して前記利用者を撮影するタイミングを通知する携帯端末とを有する自動写真撮影システムが提供される。
【０００６】
前記第１通信手段と前記第２通信手段との間の通信に基づいて、前記撮影装置と前記携帯端末を所持する利用者との位置関係を検知するため両者間の距離的な制約を受にくく、例えば利用者が意識しないように自動撮影を行うことも可能である。
【０００７】
本発明の他の観点によれば、第１通信手段と撮像手段とをそれぞれに有し、施設における複数の位置に設けられる撮影装置と、施設の利用者が所持する携帯端末であって、前記第１通信手段と通信を行う第２通信手段を有し、前記第１通信手段と前記第２通信手段との間の通信に基づいて、前記利用者を前記撮影装置で撮影可能な位置へとナビゲートするナビゲート手段を有する携帯端末とを備えた写真撮影ナビゲートシステムが提供される。
利用者は、提供されるナビゲート情報に基づいて、施設を円滑に進むことができる。
【発明の効果】
【０００８】
本発明によれば、利用者が意識しない状態において自動的に写真が撮影できるため、利用者は写真撮影操作に煩わされることがなく施設を楽しむことができる。また、利用者に対して写真撮影ポイントと関連する位置をナビゲートすることにより、利用者の利便性が増すという利点がある。
【発明を実施するための最良の形態】
【０００９】
本発明に係る写真撮影システムは、例えばテーマパークなどの遊戯施設の利用者が、アトラクションなどを楽しんでいるうちに、利用者は意識しないうちに自然な写真が撮影されていき、最終的に遊技施設の利用に関する自然な形での電子アルバムが作成され、利用者にはほとんど負担のかからない自動写真撮影システム及び関連する写真撮影システムである。
【００１０】
以下、本発明の第１の実施の形態による自動写真撮影システムについて、テーマパークにおいて利用される場合を例に図面を参照して説明を行う。図１は、本実施の形態による自動写真撮影システムのシステム構成例を示す図である。図２は、利用者が所持する携帯端末の構成例を示す正面図である。図３から図６までは、本実施の形態による自動写真撮影システムを利用した処理の流れを示すフローチャート図である。尚、本実施の形態は、テーマパークを利用した場合以外にも適用可能であることは言うまでもない。例えば、遊園地、競技場、ハイキングコース、などである。
【００１１】
図１に示すように、本実施の形態による自動写真撮影システムは、システムを管理する管理サーバ１と、携帯端末管理装置２と、印刷装置３と、記憶媒体への情報書き込み装置
（ＣＤ―Ｒ装置）１４と、テーマパーク内の所定の撮影ポイントに設置される撮影装置６ａから６ｍと、混雑監視装置７ａ〜７ｃと、これらを接続する無線又は有線のネットワークとを有している。管理サーバ１には、撮影情報データベース４ａと、設備情報データベース４ｂと、が接続されている。例えば入場時に利用者に渡される携帯端末５ａから５ｃは、携帯端末管理装置２との間で連絡（通信）が可能になっている。尚、携帯端末５ａから５ｃまでは、ＰＨＳ、ＰＤＡ、自分の有している携帯電話であって、アプリケーションソフトウェアが一時的にインストール（管理サーバ１からダウンロードする）された携帯電話であっても良い。
【００１２】
設備情報データベース４ｂは、撮影装置６ａから６ｍと、混雑監視装置７ａ〜７ｃと、ネットワークなどの設備に関する設置位置情報、例えば、撮影ポイントの位置情報を含むテーマパークの地図情報などを記憶している。撮影情報データベース４ａは、利用者が撮影した画像データなどを例えば一時的に記憶しておくとともに、後述する撮影情報（図１０）、イベント情報（図１１）、混雑情報（図１２）など随時取得された情報を記憶している。例えば混雑監視装置７ａ〜７ｃのそれぞれが監視する混雑情報を利用者の要求に応じてリアルタイムに取得し、利用者に渡される携帯端末５ａから５ｃのうち要求元の携帯端末に対していつでも混雑情報を送信できるようになっている。
【００１３】
例えば、利用者から上記各種情報の取得要求があった場合には、携帯端末管理装置２が、利用者が所持する携帯端末に設けられた後述する位置情報取得手段（ＧＰＳなど）により利用者の位置を取得し、利用者の現在位置情報と設備情報データベース４ｂに格納される撮影ポイントの位置情報のうちＧＰＳにより取得された位置の直近の位置情報とに基づいて、該当する撮影ポイントとの間の距離を推測し撮影ポイントへの到達予定時間を計算して利用者に対して知らせることも可能である。混雑監視装置から取得した混雑情報と、混雑監視装置の位置情報と、利用者の位置情報と、に基づいて、利用者に対して直近の又は適切な混雑情報を取得し送信することもできる。適切な撮影情報やイベント情報を取得し、利用者に送ることも可能である。
【００１４】
通常は、利用者がテーマパークに入場する際に、専用携帯端末をデーパーク運営者側から受け取る。図２に示すように、本実施の形態による携帯端末は、種々の情報を表示可能なＬＣＤ表示部８と、シャッターボタン９（後述する）と、撮影情報表示ボタン１０と、イベント情報表示ボタン１１と、混雑情報表示ボタン１２と、スピーカなどの報知部１３と、を有している。
【００１５】
図３から図６までは、本発明の第１の実施の形態による自動写真撮影システムによる処理の流れを示すフローチャート図である。本実施の形態による自動写真撮影システムにおいては、まず、図３に示すように、利用者が準備を終えて（携帯端末を所持して）テーマパークを回り始めると、処理が開始される（ステップ３０１）。ステップ３０２において、利用者が撮影装置６ａから６ｍまでのいずれかが設置された所定の撮影ポイントにさしかかっているか否かを判定する。撮影ポイントにさしかかっていると判定されると、ステップ３０３に進み、管理サーバ１から撮影装置６ａから６ｍに対して撮影開始を指示する。この際、管理サーバ１などから利用者への報知はされなくても良い。或いは、小さい音などで知らせる程度で良く、利用者は積極的には何らの動作をしなくても小さな音で撮影されたことをほとんど無意識の状態で感じる。ステップ３０４において、撮影装置６ａから６ｍのいずれかが利用者の撮影を行い、撮影データを管理サーバ１に送る。ステップ３０５において、管理サーバ１は、撮影データを撮影情報データベース４ａに送る。このような処理が各撮影ポイントで繰り返されて処理が終了する（ステップ３０６エンド）。
【００１６】
図４は、利用者が遊技施設を出る際における処理を示すフローチャート図である。図４に示すように、まず、ステップ４０１において出口などで処理が開始され、ステップ４０２において利用者は入場時に貸与された携帯端末５ａを係員に返却する。ステップ４０３において、返却された携帯端末のＩＤを検索キーとして、撮影情報データベース４ａ中から利用者を撮影した撮影データを検索する。ステップ４０４において、撮影データを印刷装置３によって写真としてプリントしたものを受け取るか、或いは、電子データのまま、記録媒体、例えばＣＤ−Ｒ装置１４においてＣＤ−Ｒに焼き付けて受け取るかを選択する。ステップ４０５で選択に基づいて処理を行い、ステップ４０６で処理済みのプリント又はＣＤ−Ｒを利用者に渡す。これにより、利用者は、テーマパークでの自動撮影アルバムを取得することができる。
【００１７】
以上説明したように、本実施の形態による自動写真撮影システムによれば、利用者は意識しない間に、思い出の電子アルバムを完成させることができる。この際、利用者は写真撮影に関する動作を行うことなく自然な形で写真が撮影されていくため、わざとらしくない構図を好む利用者にとってはむしろ好ましい。尚、利用者が所望の撮影ポイントを予め指定しておいても良い。
【００１８】
図５及び図６は、上記本発明の第１の実施の形態によるいわゆるスナップショット撮影時におけるオプションとしての処理を説明するためのフローチャート図である。図５に示すように、処理が開始され（ステップ５０１）、撮影混雑監視装置７ａから７ｃまでが、例えば自己が撮影した周囲の情報を管理サーバ１に送信する（ステップ５０２）。次いで、ステップ５０３において管理サーバ１は、混雑具合を判断して施設情報データベースへ登録する。図６に示すように、ステップ６０２において、管理サーバ１が携帯端末管理装置２から利用者の現在位置に関する情報を定期的に取得する。次いで、ステップ６０３において、施設情報データベース４ｂから、後述するイベント情報、混雑情報、利用者がいる付近の撮影ポイント情報を受け取ることも可能である。混雑の程度が大きい場所においては、例えばその近くを通過する利用者にその旨を報知し、現在の撮影は困難である旨を利用者に知らせるようにしても良い。
【００１９】
尚、携帯端末管理装置２がＧＰＳに基づく利用者の位置情報を定期的に取得し、利用者の移動方向を推測し、撮影装置６ａの撮影を補助するように構成しても良い。この場合には、撮像装置６ａとして回転移動などが可能な装置を用いれば、利用者の移動方向に基づいて利用者の進行方向をセンシングし、例えば利用者を正面から撮影できるように撮影装置を回転移動させるようにしても良い。或いは、シャッタタイミングが不明な場合には、連写により適切な写真が必ず撮れるようにしても良い。
【００２０】
次に、本発明の第２の実施の形態による写真撮影ナビゲートシステムについて図面を参照しつつ説明を行う。図７から図９までは、本実施の形態による写真撮影システムにおける処理の流れを示す図であり、図１０から図１２までは、携帯端末の表示部への表示例を示す図である。基本的なシステム構成は上記第１の実施の形態と同様であり、従ってその説明を省略するとともに、適宜、図１及び図２も参照して説明を行う。
【００２１】
図７に示すように、まず、処理がスタートし（７０１）利用者が所持する携帯端末５ａ〜５ｃまでのいずれかにおいて、携帯端末のボタンに関する操作がなされたか否かをステップ７０２において判定する。例えば、Ａ：撮影情報表示ボタン１０又はＢ：イベント情報表示ボタン１１又はＣ：混雑情報表示ボタン１２のいずれかにより枝分かれする。Ａの場合には、ステップ７０３に進み、撮影情報をモニタ画面８に表示させる。Ｂの場合には、ステップ７０４に進み、イベント情報をモニタ画面８に表示させる。Ｃの場合には、ステップ７０５に進み、混雑情報をモニタ画面８に表示させる（ステップ７０６〜７０８）。このように、利用者が携帯端末５ａにおける各種ボタン１０〜１２までのいずれかを押すことにより、撮影情報やイベント情報や混雑情報に関する表示を切り替えることができる。
【００２２】
図１０は、撮影情報表示ボタン１０を押した場合の表示例を示す図である。この場合には、例えば利用者の現在位置から近い未撮影ポイントに関する案内表示がなされる。図１０においては、○○噴水に記念撮影ポイントがあり、このポイントは現在位置から北へ焼く５０ｍ進んだ場所である旨の表示がなされる。加えて、広場に記念撮影ポイントがあり、これは現在位置から南東に約１５０ｍ進んだ位置であることが表示される。
【００２３】
図１１は、イベント情報表示ボタン１１を押した場合の表示例を示す図である。この場合には、例えば、１３時からアトラクションＡとしてミニコンサートが開催され、１５時から中央広場でパレードが行われることが表示されている。
【００２４】
図１２は、現在時点（１２時３０分）における混雑状況を表示する表示例を示す図である。例えば、アトラクションＢは６０分待ち、ジェットコースターは３０分待ちである旨の案内が表示される。利用者がこのような表示を自己の判断材料として用いることができる。
【００２５】
すなわち、図８に示すように、まず、上記の情報を頼りにして、利用者が遊技施設内の記念撮影ポイントに近づくと（スタート８０１）、管理サーバ１が、携帯端末管理装置２から利用者の携帯端末５ａからの信号に基づき利用者の位置情報を取得する（ステップ８０２）。ステップ８０３において、利用者が撮影ポイントに近づいたか否かを判定し、近づいていれば、ステップ８０４に進み、管理サーバ１から携帯端末管理装置２を介して携帯端末５ａに対して撮影ポイントに近づいた旨のメッセージが流される。例えば携帯端末で５ａのスピーカ１３から、「○○噴水に記念撮影ポイントに近づきました。」などの利用者をナビゲートするメッセージが音声で流され又は表示部に表示される。その後、撮影ポイントまで例えば音声メッセージで利用者を誘導し（ステップ８０３、８０４）、この処理を終了する（ステップ８０５）。
【００２６】
図９に示す次の処理が始まると（ステップ９０１）、撮影装置６ａから６ｍのいずれか近い撮影装置に設けられているカメラの方向を向き、準備ができたら携帯端末のシャッターボタン９を押すように促す表示または音声を出力させる（ステップ９０２）。利用者がシャッターボタンを押したか否かを判定し（ステップ９０３）、押していれば、ステップ９０４に進み、管理サーバ１から撮影装置６ａに対して利用者の撮影を指示する。ステップ９０５において、撮影装置が利用者の撮影を行い、撮影データを管理サーバ１に送る。次いで、ステップ９０６において、管理サーバ１は、撮影データを撮影情報データベース４ａに蓄積する。ステップ９０７において、利用者の携帯端末５ａに対して、撮影が終了した旨を報知して処理を終える（エンド：ステップ９０８）。
【００２７】
以後は、第１の実施の形態の図４のフローチャート図と同様の処理を行う。電子アルバムの受け取り時に、利用者の携帯電話に専用のアプリケーションソフトウェアを転送した場合には、次回の利用するまでは動作が無効になるようにしても良いし、ソフトウェア自体を消去するようにしても良い。
【００２８】
以上、本実施の形態による写真撮影ナビゲートシステムによれば、写真撮影ポイントへ利用者を適切に案内することにより、撮影をスムーズに行うことができるという利点がある。尚、写真撮影サービスを、ナビゲートシステム付加サービスとして位置付けることも可能である。
【００２９】
尚、撮影済みの画像データは、撮影情報データベース４ａから携帯端末管理装置２を経て利用者の携帯端末５ａに転送し、携帯端末のモニタ表示によりで写真の写り具合を確認することも可能である。
【００３０】
以上、本発明の実施の形態について説明したが、処理の流れを示すフローチャートに基づいてプログラムを作成しておくのが好ましい。このようなプログラムも本発明の範疇に入るものである。
【産業上の利用可能性】
【００３１】
本発明は、様々なテーマパークやイベントなどにおける写真撮影サービスに応用することが可能である。
【図面の簡単な説明】
【００３２】
【図１】本発明の実施の形態による自動写真撮影システムのシステム構成例を示す図である。
【図２】利用者が所持する携帯端末の構成例を示す正面図である。
【図３】本実施の形態による自動写真撮影システムを利用した処理の流れを示すフローチャート図である。
【図４】本実施の形態による自動写真撮影システムを利用した処理の流れを示すフローチャート図である。
【図５】本実施の形態による自動写真撮影システムを利用した処理の流れを示すフローチャート図である。
【図６】本実施の形態による自動写真撮影システムを利用した処理の流れを示すフローチャート図である。
【図７】本発明の第２の実施の形態による写真撮影システムにおける処理の流れを示すフローチャート図である。
【図８】本発明の第２の実施の形態による写真撮影システムにおける処理の流れを示すフローチャート図である。
【図９】本発明の第２の実施の形態による写真撮影システムにおける処理の流れを示すフローチャート図である。
【図１０】携帯端末の表示部への表示例を示す図である。
【図１１】携帯端末の表示部への表示例を示す図である。
【図１２】携帯端末の表示部への表示例を示す図である。
【符号の説明】
【００３３】
１…管理サーバ、２…携帯端末管理装置、３…印刷装置、４ａ…撮影情報データベース、４ｂ…設備情報データベース、５ａ〜５ｃ…携帯端末、６ａ〜６ｍ…撮影装置、７ａ〜７ｃ…混雑監視装置、１４…記憶媒体への媒体書き込み装置。
【図１】
2005196417.tif 000003
【図２】
2005196417.tif 000004
【図３】
2005196417.tif 000005
【図４】
2005196417.tif 000006
【図５】
2005196417.tif 000007
【図６】
2005196417.tif 000008
【図７】
2005196417.tif 000009
【図８】
2005196417.tif 000010
【図９】
2005196417.tif 000011
【図１０】
2005196417.tif 000012
【図１１】
2005196417.tif 000013
【図１２】
2005196417.tif 000014